(57)【要約】【課題】違法なコンテンツの利用の可能性を招くことなく、コンテンツの可搬性や利便性を高めることができる情報記録再生装置を得ることを目的とする。【解決手段】挿抜自在のＩＤ情報記録媒体１１に記録されているＩＤ情報と同一のＩＤ情報がコンテンツ記録媒体１２に記録されている場合、あるいは、そのコンテンツ記録媒体１２に記録されているＩＤ情報と同一のＩＤ情報が記録されている挿抜自在のＩＤ情報記録媒体１１がホームネットワーク３上の他の情報記録再生装置２に挿入されている場合、そのコンテンツ記録媒体１２からコンテンツを読み出して再生する。【選択図】        図１
2005018827.tif 000002
【特許請求の範囲】
【請求項１】
挿抜自在のＩＤ情報記録媒体が装着されているとき、そのＩＤ情報記録媒体から固有のＩＤ情報を読み取るＩＤ情報読取手段と、上記ＩＤ情報読取手段により読み取られたＩＤ情報と同一のＩＤ情報がコンテンツ記録媒体に記録されている場合、あるいは、そのコンテンツ記録媒体に記録されているＩＤ情報と同一のＩＤ情報が記録されている挿抜自在のＩＤ情報記録媒体がネットワーク上の他の機器に挿入されている場合、そのコンテンツ記録媒体からコンテンツを読み出すコンテンツ読出手段と、上記コンテンツ読出手段により読み出されたコンテンツを再生するコンテンツ再生手段とを備えた情報記録再生装置。
【請求項２】
固有のＩＤ情報をＩＤ情報記録媒体に記録するＩＤ情報記録手段を設けたことを特徴とする請求項１記載の情報記録再生装置。
【請求項３】
ＩＤ情報読取手段により読み取られたＩＤ情報とコンテンツをコンテンツ記録媒体に記録するコンテンツ記録手段を設けたことを特徴とする請求項１記載の情報記録再生装置。
【請求項４】
コンテンツ読出手段により読み出されたコンテンツを複製するコンテンツ複製手段を設けたことを特徴とする請求項１記載の情報記録再生装置。
【請求項５】
コンテンツ読出手段は、コンテンツ複製手段がネットワーク上の他の機器に挿入されているコンテンツ記録媒体に記録されているコンテンツの複製を行う場合、ＩＤ情報読取手段により読み取られたＩＤ情報と同一のＩＤ情報が他の機器に挿入されているコンテンツ記録媒体に記録されている場合、あるいは、他の機器に挿入されているコンテンツ記録媒体に記録されているＩＤ情報と同一のＩＤ情報が記録されている挿抜自在のＩＤ情報記録媒体が他の機器に挿入されている場合、他の機器に挿入されているコンテンツ記録媒体からコンテンツを読み出すことを特徴とする請求項４記載の情報記録再生装置。
【請求項６】
コンテンツ複製手段は、複製後のコンテンツをコンテンツ記録媒体に記録する際、ＩＤ情報読取手段により読み取られたＩＤ情報を上記コンテンツ記録媒体に記録することを特徴とする請求項４または請求項５記載の情報記録再生装置。
【請求項７】
コンテンツ読出手段により読み出されたコンテンツを編集するコンテンツ編集手段を設けたことを特徴とする請求項１記載の情報記録再生装置。
【請求項８】
コンテンツ読出手段は、コンテンツ編集手段がネットワーク上の他の機器に挿入されているコンテンツ記録媒体に記録されているコンテンツの編集を行う場合、ＩＤ情報読取手段により読み取られたＩＤ情報と同一のＩＤ情報が他の機器に挿入されているコンテンツ記録媒体に記録されている場合、あるいは、他の機器に挿入されているコンテンツ記録媒体に記録されているＩＤ情報と同一のＩＤ情報が記録されている挿抜自在のＩＤ情報記録媒体が他の機器に挿入されている場合、他の機器に挿入されているコンテンツ記録媒体からコンテンツを読み出すことを特徴とする請求項７記載の情報記録再生装置。
【請求項９】
コンテンツ編集手段は、編集後のコンテンツをコンテンツ記録媒体に記録する際、ＩＤ情報読取手段により読み取られたＩＤ情報を上記コンテンツ記録媒体に記録することを特徴とする請求項７または請求項８記載の情報記録再生装置。
【請求項１０】
コンテンツ記録手段は、ＩＤ情報読取手段により読み取られたＩＤ情報から暗号鍵を生成し、その暗号鍵を用いてコンテンツを暗号化し、暗号化後のコンテンツと当該ＩＤ情報をコンテンツ記録媒体に記録することを特徴とする請求項３記載の情報記録再生装置。
【請求項１１】
コンテンツ再生手段は、コンテンツ記録媒体に記録されているＩＤ情報から暗号鍵を生成し、その暗号鍵を用いてコンテンツ読出手段により読み出されたコンテンツを復号化して再生することを特徴とする請求項１０記載の情報記録再生装置。
【請求項１２】
コンテンツ読出手段により読み出された暗号化後のコンテンツを複製するコンテンツ複製手段を設けたことを特徴とする請求項１０記載の情報記録再生装置。
【請求項１３】
コンテンツ複製手段は、ＩＤ情報読取手段により読み取られたＩＤ情報から暗号鍵を生成し、その暗号鍵を用いてコンテンツ読出手段により読み出された暗号化後のコンテンツを更に暗号化し、暗号化後のコンテンツを複製することを特徴とする請求項１２記載の情報記録再生装置。
【請求項１４】
コンテンツ記録媒体に記録されているＩＤ情報から暗号鍵を生成し、その暗号鍵を用いてコンテンツ読出手段により読み出されたコンテンツを復号化し、そのコンテンツを編集するコンテンツ編集手段を設けたことを特徴とする請求項１０記載の情報記録再生装置。
【請求項１５】
コンテンツ編集手段は、ＩＤ情報読取手段により読み取られたＩＤ情報から暗号鍵を生成し、その暗号鍵を用いて編集後のコンテンツを暗号化することを特徴とする請求項１４記載の情報記録再生装置。
【請求項１６】
コンテンツ編集手段は、コンテンツ記録媒体に記録されているＩＤ情報から暗号鍵を生成し、その暗号鍵を用いて編集後のコンテンツを暗号化するとともに、ＩＤ情報読取手段により読み取られたＩＤ情報から暗号鍵を生成し、その暗号鍵を用いて暗号化のコンテンツを更に暗号化することを特徴とする請求項１４記載の情報記録再生装置。
【請求項１７】
ＩＤ情報読取手段は、挿抜自在のＩＤ情報記録媒体が装着されていない場合、他の機器に装着されている挿抜自在のＩＤ情報記録媒体から固有のＩＤ情報を読み取ることを特徴とする請求項１記載の情報記録再生装置。
【発明の詳細な説明】
【０００１】
【発明の属する技術分野】
この発明は、コンテンツの著作権の保護を図る機能を有する情報記録再生装置に関するものである。
【０００２】
【従来の技術】
例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｉｃａｌ  Ｅｎｇｉｎｅｅｒｓ）１３９４バスに、ＡＶ機器などの情報記録再生装置が接続されている場合において、ユーザが記録媒体を情報記録再生装置に装着して、コンテンツを記録媒体に記録する場合、コンテンツの著作権を保護するために、情報記録再生装置がそのコンテンツの他に情報記録再生装置に割り当てられている固有のＩＤ情報も記録媒体に記録する。
一方、ユーザが記録媒体を情報記録再生装置に装着して、記録媒体に記録されているコンテンツを再生する場合、その記録媒体に記録されているＩＤ情報と情報記録再生装置のＩＤ情報が一致する場合に限り、情報記録再生装置が記録媒体からコンテンツを読み出して再生する。
このため、コンテンツを記録媒体に記録した情報記録再生装置以外では、コンテンツを再生することができず、コンテンツの利用の利便性が損なわれる。
【０００３】
これに対して、以下の特許文献１に開示されている情報記録再生装置では、記録媒体に記録されているＩＤ情報と情報記録再生装置のＩＤ情報が一致しない場合でも、ローカルネットワークに接続されている他の情報記録再生装置のＩＤ情報が記録媒体に記録されているＩＤ情報と一致すれば、情報記録再生装置が記録媒体からコンテンツを読み出して再生できるようにしている。
【０００４】
【特許文献１】
特開２０００−１３２９１０号公報（段落番号［００１２］から［００１５］、図２）
【０００５】
【発明が解決しようとする課題】
従来の情報記録再生装置は以上のように構成されているので、記録媒体に記録されているＩＤ情報と自己のＩＤ情報が一致しない場合でも、ローカルネットワークに接続されている他の情報記録再生装置のＩＤ情報が記録媒体に記録されているＩＤ情報と一致すれば、その記録媒体からコンテンツを読み出して再生することができる。しかし、そのローカルネットワークに接続されていない機器に記録媒体を装着しても、その記録媒体に記録されているコンテンツを再生することができず、コンテンツの可搬性や利便性が損なわれるなどの課題があった。
【０００６】
この発明は上記のような課題を解決するためになされたもので、違法なコンテンツの利用の可能性を招くことなく、コンテンツの可搬性や利便性を高めることができる情報記録再生装置を得ることを目的とする。
【０００７】
【課題を解決するための手段】
この発明に係る情報記録再生装置は、挿抜自在のＩＤ情報記録媒体に記録されているＩＤ情報と同一のＩＤ情報がコンテンツ記録媒体に記録されている場合、あるいは、そのコンテンツ記録媒体に記録されているＩＤ情報と同一のＩＤ情報が記録されている挿抜自在のＩＤ情報記録媒体がネットワーク上の他の機器に挿入されている場合、そのコンテンツ記録媒体からコンテンツを読み出すコンテンツ読出手段を設け、そのコンテンツ読出手段により読み出されたコンテンツを再生するようにしたものである。
【０００８】
【発明の実施の形態】
以下、この発明の実施の一形態を説明する。
実施の形態１．
図１はこの発明の実施の形態１による情報記録再生装置が適用される情報記録再生システムを示す構成図であり、情報記録再生装置１，２がホームネットワーク３に接続されている。図１の例では、同一構成の情報記録再生装置がホームネットワーク３に２台接続されているが、３台以上の情報記録再生装置がホームネットワーク３に接続されていてもよい。
情報記録再生装置１のＩＤ情報記録媒体１１は例えばＩＣカードやメモリカードからなり、情報記録再生装置１に割り当てられている固有のＩＤ情報が記録されている。情報記録再生装置１のコンテンツ記録媒体１２は例えばハードディスク，ＤＶＤディスク，ＤＶＨＳテープなどからなり、コンテンツ記録・再生部１６により情報記録再生装置１の固有のＩＤ情報とコンテンツが記録される。
【０００９】
情報記録再生装置１のＩＤ情報管理部１３は挿抜自在のＩＤ情報記録媒体１１を装着するカードスロットを有し、そのＩＤ情報記録媒体１１がカードスロットに装着されているとき、そのＩＤ情報記録媒体１１から固有のＩＤ情報を読み取り、その固有のＩＤ情報とコンテンツ記録媒体１２に記録されているＩＤ情報の照合処理を実施する。
情報記録再生装置１のＩＤ情報共有部１４はＩＤ情報管理部１３の照合処理がＩＤ情報の不一致を示す場合、ネットワークインタフェース１５を介して、コンテンツ記録媒体１２に記録されているＩＤ情報をホームネットワーク３に接続されている情報記録再生装置２に送信して、ＩＤ情報の問い合わせを行うことにより、情報記録再生装置２から当該ＩＤ情報と同一のＩＤ情報が記録されているＩＤ情報記録媒体１１が装着されているか否かを示す回答を受信する。
なお、ＩＤ情報管理部１３はＩＤ情報読取手段を構成し、ＩＤ情報管理部１３及びＩＤ情報共有部１４はコンテンツ読出手段を構成している。
【００１０】
情報記録再生装置１のコンテンツ記録・再生部１６はＩＤ情報管理部１３の照合処理がＩＤ情報の一致を示す場合、あるいは、ＩＤ情報共有部１４により受信された回答が同一のＩＤ情報が記録されているＩＤ情報記録媒体１１が装着されている旨を示す場合、コンテンツ記録媒体１２からコンテンツを読み出し、そのコンテンツを再生する。なお、コンテンツ記録・再生部１６はコンテンツ読出手段及びコンテンツ再生手段を構成している。
また、コンテンツ記録・再生部１６はＩＤ情報管理部１２により読み取られたＩＤ情報とコンテンツをコンテンツ記録媒体１２に記録するコンテンツ記録手段も構成している。
【００１１】
次に動作について説明する。
例えば、デジタルチューナ（図示せず）を利用して、デジタル放送のコンテンツを正当に受信し、ユーザがそのコンテンツの記録を希望する場合、コンテンツ記録媒体１２を情報記録再生装置１に装着するとともに、情報記録再生装置１の固有のＩＤ情報が記録されているＩＤ情報記録媒体１１を情報記録再生装置１に装着する。ここでは、説明の便宜上、コンテンツ記録媒体１２を情報記録再生装置１に装着するものについて示すが、コンテンツ記録媒体１２を情報記録再生装置２に装着する場合には、情報記録再生装置２の固有のＩＤ情報が記録されているＩＤ情報記録媒体１１を情報記録再生装置２に装着する。
【００１２】
情報記録再生装置１のＩＤ情報管理部１３は、ＩＤ情報記録媒体１１がカードスロットに装着されると、そのＩＤ情報記録媒体１１から情報記録再生装置１に割り当てられている固有のＩＤ情報を読み取る。
情報記録再生装置１のコンテンツ記録・再生部１６は、ＩＤ情報管理部１３が情報記録再生装置１に割り当てられている固有のＩＤ情報を読み取ると、そのＩＤ情報と上記コンテンツを対にしてコンテンツ記録媒体１２に記録する。
【００１３】
一方、ユーザが情報記録再生装置１又は情報記録再生装置２を利用して、コンテンツ記録媒体１２に記録したコンテンツの再生を希望する場合、例えば、そのコンテンツ記録媒体１２を情報記録再生装置１に装着して、情報記録再生装置１のＩＤ情報が記録されているＩＤ情報記録媒体１１を情報記録再生装置１に装着する。
情報記録再生装置１のＩＤ情報管理部１３は、ＩＤ情報記録媒体１１がカードスロットに装着されると、そのＩＤ情報記録媒体１１から情報記録再生装置１に割り当てられている固有のＩＤ情報を読み取るとともに、コンテンツ記録・再生部１６を介して、コンテンツ記録媒体１２から再生を希望するコンテンツと対にして記録されているＩＤ情報を読み取る。
【００１４】
情報記録再生装置１のＩＤ情報管理部１３は、双方のＩＤ情報を読み取ると、双方のＩＤ情報を比較する。
因みに、再生希望のコンテンツが情報記録再生装置１を利用してコンテンツ記録媒体１２に記録された場合には、双方のＩＤ情報が一致するが、再生希望のコンテンツが情報記録再生装置２を利用してコンテンツ記録媒体１２に記録された場合や、再生希望のコンテンツが不正にコンテンツ記録媒体１２に記録された場合などでは、双方のＩＤ情報が一致しない。
情報記録再生装置１のＩＤ情報管理部１３は、双方のＩＤ情報が一致する場合、コンテンツの再生指令をコンテンツ記録・再生部１６に出力する。
情報記録再生装置１のコンテンツ記録・再生部１６は、ＩＤ情報管理部１３からコンテンツの再生指令を受けると、コンテンツ記録媒体１２からコンテンツを読み出し、そのコンテンツを再生する。
【００１５】
情報記録再生装置１のＩＤ情報管理部１３は、双方のＩＤ情報が一致しない場合、ＩＤ情報の問い合わせ要求をＩＤ情報共有部１４に出力する。
情報記録再生装置１のＩＤ情報共有部１４は、ＩＤ情報管理部１３からＩＤ情報の問い合わせ要求を受けると、ネットワークインタフェース１５を介して、コンテンツ記録媒体１２に記録されているＩＤ情報をホームネットワーク３に接続されている情報記録再生装置２に送信して、ＩＤ情報の問い合わせを行う。
【００１６】
情報記録再生装置２のＩＤ情報管理部１３は、ＩＤ情報共有部１４が情報記録再生装置１からＩＤ情報の問い合わせを受けると、情報記録再生装置２に割り当てられている固有のＩＤ情報が記録されているＩＤ情報記録媒体１１がカードスロットに装着されていれば、そのＩＤ情報記録媒体１１から固有のＩＤ情報を読み取り、そのＩＤ情報と情報記録再生装置１から送信されたＩＤ情報（情報記録再生装置１のコンテンツ記録媒体１２に記録されているＩＤ情報）を比較する。情報記録再生装置２のＩＤ情報共有部１４は、ＩＤ情報管理部１３がＩＤ情報の一致を示す場合、ネットワークインタフェース１５を介して、同一のＩＤ情報が記録されているＩＤ情報記録媒体１１を装着している旨を示す回答を情報記録再生装置１に送信する。一方、ＩＤ情報管理部１３がＩＤ情報の不一致を示す場合、ネットワークインタフェース１５を介して、同一のＩＤ情報が記録されているＩＤ情報記録媒体１１を装着していない旨を示す回答を情報記録再生装置１に送信する。
【００１７】
情報記録再生装置１のＩＤ情報管理部１３は、ＩＤ情報共有部１４が情報記録再生装置２から同一のＩＤ情報が記録されているＩＤ情報記録媒体１１を装着している旨を示す回答を受信すると、コンテンツの再生指令をコンテンツ記録・再生部１６に出力する。
情報記録再生装置１のコンテンツ記録・再生部１６は、ＩＤ情報管理部１３からコンテンツの再生指令を受けると、コンテンツ記録媒体１２からコンテンツを読み出し、そのコンテンツを再生する。
【００１８】
情報記録再生装置１のＩＤ情報管理部１３は、ＩＤ情報共有部１４が情報記録再生装置２から同一のＩＤ情報が記録されているＩＤ情報記録媒体１１を装着していない旨を示す回答を受信すると、コンテンツの再生指令をコンテンツ記録・再生部１６に出力しない。
したがって、この場合には、情報記録再生装置１のコンテンツ記録・再生部１６がコンテンツ記録媒体１２からコンテンツを読み出さず、そのコンテンツを再生することはない。
【００１９】
次に、図２に示すように、図１の情報記録再生システムが構成されているローカルエリアネットワークＡの他に、図１の情報記録再生システムと同様の情報記録再生システムが構成されているローカルエリアネットワークＢが存在する場合について説明する。
例えば、ローカルエリアネットワークＡの情報記録再生装置１を利用して、コンテンツがコンテンツ記録媒体１２に記録された場合には、上述したように、ローカルエリアネットワークＡの情報記録再生装置１又は情報記録再生装置２を利用して、そのコンテンツを再生することができる。
【００２０】
しかし、そのコンテンツが記録されたコンテンツ記録媒体１２をローカルエリアネットワークＢの情報記録再生装置１又は情報記録再生装置２に装着しても、ローカルエリアネットワークＡの情報記録再生装置１に割り当てられている固有のＩＤ情報を記録しているＩＤ情報記録媒体１１がローカルエリアネットワークＢの情報記録再生装置１又は情報記録再生装置２に装着されていなければ、コンテンツ記録媒体１２に記録されているＩＤ情報と一致するＩＤ情報が記録されているＩＤ情報記録媒体１１がローカルエリアネットワークＢ内に存在しないので、ローカルエリアネットワークＢの情報記録再生装置１，２がコンテンツを再生することができない。
【００２１】
ただし、ユーザがローカルエリアネットワークＡの情報記録再生装置１に割り当てられている固有のＩＤ情報を記録しているＩＤ情報記録媒体１１も、ローカルエリアネットワークＢの情報記録再生装置１又は情報記録再生装置２に装着すれば、ローカルエリアネットワークＡの情報記録再生装置１，２と同様の処理を実施することにより、そのコンテンツが再生される。
【００２２】
以上で明らかなように、この実施の形態１によれば、挿抜自在のＩＤ情報記録媒体１１に記録されているＩＤ情報と同一のＩＤ情報がコンテンツ記録媒体１２に記録されている場合、あるいは、そのコンテンツ記録媒体１２に記録されているＩＤ情報と同一のＩＤ情報が記録されている挿抜自在のＩＤ情報記録媒体１１がホームネットワーク３上の他の情報記録再生装置２に挿入されている場合、そのコンテンツ記録媒体１２からコンテンツを読み出して再生するように構成したので、違法なコンテンツの利用の可能性を招くことなく、コンテンツの可搬性や利便性を高めることができる効果を奏する。
即ち、同一のホームネットワーク３に接続されている情報記録再生装置１，２だけではなく、その情報記録再生装置１，２からＩＤ情報記録媒体１１とコンテンツ記録媒体１２を抜いて、他のホームネットワーク３に接続されている情報記録再生装置１，２に装着すれば、他のホームネットワーク３に接続されている情報記録再生装置１，２でもコンテンツ記録媒体１２に記録されているコンテンツを再生することができるため、コンテンツの可搬性や利便性を高めることができる効果を奏する。
【００２３】
また、この実施の形態１によれば、ＩＤ情報管理部１３により読み取られたＩＤ情報とコンテンツをコンテンツ記録媒体１２に記録するコンテンツ記録・再生部１６を設けるように構成したので、最初からコンテンツが記録されたコンテンツ記録媒体１２を購入等した場合に限らず、例えば、デジタル放送のコンテンツを受信したり、インターネットを介してコンテンツをダウンロードしたりするような場合でも、そのコンテンツの著作権を保護することができる効果を奏する。
【００２４】
なお、この実施の形態１では、ＩＤ情報記録媒体１１には、最初から情報記録再生装置１に割り当てられている固有のＩＤ情報が記録されているものについて示したが、情報記録再生装置１，２のＩＤ情報管理部１３が固有のＩＤ情報をＩＤ情報記録媒体１１に記録するＩＤ情報記録手段を搭載していてもよい。
【００２５】
実施の形態２．
図３はこの発明の実施の形態２による情報記録再生装置が適用される情報記録再生システムを示す構成図であり、図において、図１と同一符号は同一または相当部分を示すので説明を省略する。
コンテンツ記録・再生・複製部１７は図１のコンテンツ記録・再生部１６と同様の機能を有する他に、コンテンツ記録媒体１２に記録されているコンテンツを複製するコンテンツ複製手段も構成している。
【００２６】
次に動作について説明する。
ユーザが情報記録再生装置１を利用して、コンテンツを複製する場合、ユーザが複製を希望するコンテンツが記録されているコンテンツ記録媒体１２を情報記録再生装置１に装着するとともに、情報記録再生装置１のＩＤ情報が記録されているＩＤ情報記録媒体１１を情報記録再生装置１に装着する。
【００２７】
情報記録再生装置１のＩＤ情報管理部１３は、ＩＤ情報記録媒体１１がカードスロットに装着されると、そのＩＤ情報記録媒体１１から情報記録再生装置１に割り当てられている固有のＩＤ情報を読み取るとともに、コンテンツ記録・再生・複製部１７を介して、コンテンツ記録媒体１２から複製を希望するコンテンツと対にして記録されているＩＤ情報を読み取る。
【００２８】
情報記録再生装置１のＩＤ情報管理部１３は、双方のＩＤ情報を読み取ると、双方のＩＤ情報を比較する。
情報記録再生装置１のＩＤ情報管理部１３は、双方のＩＤ情報が一致する場合、コンテンツの複製指令をコンテンツ記録・再生・複製部１７に出力する。
情報記録再生装置１のコンテンツ記録・再生・複製部１７は、ＩＤ情報管理部１３からコンテンツの複製指令を受けると、コンテンツ記録媒体１２からコンテンツを読み出して、そのコンテンツを複製し、その複製したコンテンツをコンテンツ記録媒体１２に記録する。この際、複製元のコンテンツと対にして記録されていたＩＤ情報を複製後のコンテンツと対にして記録する。
【００２９】
情報記録再生装置１のＩＤ情報管理部１３は、双方のＩＤ情報が一致しない場合、ＩＤ情報の問い合わせ要求をＩＤ情報共有部１４に出力する。
情報記録再生装置１のＩＤ情報共有部１４は、ＩＤ情報管理部１３からＩＤ情報の問い合わせ要求を受けると、ネットワークインタフェース１５を介して、コンテンツ記録媒体１２に記録されているＩＤ情報をホームネットワーク３に接続されている情報記録再生装置２に送信して、ＩＤ情報の問い合わせを行う。
【００３０】
情報記録再生装置２のＩＤ情報管理部１３は、ＩＤ情報共有部１４が情報記録再生装置１からＩＤ情報の問い合わせを受けると、情報記録再生装置２に割り当てられている固有のＩＤ情報が記録されているＩＤ情報記録媒体１１がカードスロットに装着されていれば、そのＩＤ情報記録媒体１１から固有のＩＤ情報を読み取り、そのＩＤ情報と情報記録再生装置１から送信されたＩＤ情報（情報記録再生装置１のコンテンツ記録媒体１２に記録されているＩＤ情報）を比較する。情報記録再生装置２のＩＤ情報共有部１４は、ＩＤ情報管理部１３がＩＤ情報の一致を示す場合、ネットワークインタフェース１５を介して、同一のＩＤ情報が記録されているＩＤ情報記録媒体１１を装着している旨を示す回答を情報記録再生装置１に送信する。一方、ＩＤ情報管理部１３がＩＤ情報の不一致を示す場合、ネットワークインタフェース１５を介して、同一のＩＤ情報が記録されているＩＤ情報記録媒体１１を装着していない旨を示す回答を情報記録再生装置１に送信する。
【００３１】
情報記録再生装置１のＩＤ情報管理部１３は、ＩＤ情報共有部１４が情報記録再生装置２から同一のＩＤ情報が記録されているＩＤ情報記録媒体１１を装着している旨を示す回答を受信すると、コンテンツの複製指令をコンテンツ記録・再生・複製部１７に出力する。
情報記録再生装置１のコンテンツ記録・再生・複製部１７は、ＩＤ情報管理部１３からコンテンツの複製指令を受けると、コンテンツ記録媒体１２からコンテンツを読み出して、そのコンテンツを複製し、その複製したコンテンツをコンテンツ記録媒体１２に記録する。この際、複製元のコンテンツと対にして記録されていたＩＤ情報を複製後のコンテンツと対にして記録する。
【００３２】
情報記録再生装置１のＩＤ情報管理部１３は、ＩＤ情報共有部１４が情報記録再生装置２から同一のＩＤ情報が記録されているＩＤ情報記録媒体１１を装着していない旨を示す回答を受信すると、コンテンツの複製指令をコンテンツ記録・再生・複製部１７に出力しない。
したがって、この場合には、情報記録再生装置１のコンテンツ記録・再生・複製部１７がコンテンツ記録媒体１２からコンテンツを読み出さず、そのコンテンツを複製することはない。
【００３３】
次に、ユーザが情報記録再生装置１を利用してコンテンツを複製する場合において、複製を希望するコンテンツが記録されているコンテンツ記録媒体１２が情報記録再生装置２に装着されている場合について説明する。
情報記録再生装置１のＩＤ情報管理部１３は、ＩＤ情報記録媒体１１がカードスロットに装着されると、そのＩＤ情報記録媒体１１から情報記録再生装置１に割り当てられている固有のＩＤ情報を読み取るとともに、ＩＤ情報の問い合わせ要求をＩＤ情報共有部１４に出力する。
情報記録再生装置１のＩＤ情報共有部１４は、ＩＤ情報管理部１３からＩＤ情報の問い合わせ要求を受けると、ネットワークインタフェース１５を介して、情報記録再生装置１の固有のＩＤ情報をホームネットワーク３に接続されている情報記録再生装置２に送信して、ＩＤ情報の問い合わせを行う。
【００３４】
情報記録再生装置２のＩＤ情報管理部１３は、ＩＤ情報共有部１４が情報記録再生装置１からＩＤ情報の問い合わせを受けると、情報記録再生装置２のコンテンツ記録媒体１２から複製を希望するコンテンツと対にして記録されているＩＤ情報を読み取り、そのＩＤ情報と情報記録再生装置１から送信されたＩＤ情報（情報記録再生装置１の固有のＩＤ情報）を比較する。
情報記録再生装置２のＩＤ情報共有部１４は、ＩＤ情報管理部１３がＩＤ情報の一致を示す場合、ネットワークインタフェース１５を介して、コンテンツ記録媒体１２に同一のＩＤ情報が記録されている旨を示す回答を情報記録再生装置１に送信する。
【００３５】
情報記録再生装置２のＩＤ情報管理部１３は、双方のＩＤ情報が一致しない場合、更に、情報記録再生装置２に装着されているコンテンツ記録媒体１２から固有のＩＤ情報を読み取り、そのＩＤ情報と情報記録再生装置２のコンテンツ記録媒体１２に記録されているＩＤ情報を比較する。
情報記録再生装置２のＩＤ情報共有部１４は、ＩＤ情報管理部１３がＩＤ情報の一致を示す場合、ネットワークインタフェース１５を介して、コンテンツ記録媒体１２に同一のＩＤ情報が記録されている旨を示す回答を情報記録再生装置１に送信する。
情報記録再生装置２のＩＤ情報共有部１４は、ＩＤ情報管理部１３における２回の比較において、ＩＤ情報の不一致を示す場合、ネットワークインタフェース１５を介して、コンテンツ記録媒体１２に同一のＩＤ情報が記録されていない旨を示す回答を情報記録再生装置１に送信する。
【００３６】
情報記録再生装置１のＩＤ情報管理部１３は、ＩＤ情報共有部１４が情報記録再生装置２からコンテンツ記録媒体１２に同一のＩＤ情報が記録されている旨を示す回答を受信すると、コンテンツの複製指令をコンテンツ記録・再生・複製部１７に出力する。
情報記録再生装置１のコンテンツ記録・再生・複製部１７は、ＩＤ情報管理部１３からコンテンツの複製指令を受けると、ネットワークインタフェース１５を介して、情報記録再生装置２のコンテンツ記録媒体１２からコンテンツを読み出して、そのコンテンツを複製し、その複製したコンテンツを情報記録再生装置１のコンテンツ記録媒体１２に記録する。この際、複製元のコンテンツと対にして記録されていたＩＤ情報を複製後のコンテンツと対にして記録する。
【００３７】
情報記録再生装置１のＩＤ情報管理部１３は、ＩＤ情報共有部１４が情報記録再生装置２からコンテンツ記録媒体１２に同一のＩＤ情報が記録されていない旨を示す回答を受信すると、コンテンツの複製指令をコンテンツ記録・再生・複製部１７に出力しない。
したがって、この場合には、情報記録再生装置１のコンテンツ記録・再生・複製部１７が情報記録再生装置２のコンテンツ記録媒体１２からコンテンツを読み出さず、そのコンテンツを複製することはない。
以上で明らかなように、この実施の形態２によれば、コンテンツの複製が許可された正当なユーザのみがコンテンツの複製を行うことができる効果を奏する。
【００３８】
なお、この実施の形態２では、複製後のコンテンツを情報記録再生装置１のコンテンツ記録媒体１２に記録する際、複製元のコンテンツと対にして記録されていたＩＤ情報をコンテンツ記録媒体１２に記録するものについて示したが、更に、ＩＤ情報記録媒体１１に記録されている情報記録再生装置１の固有のＩＤ情報をコンテンツ記録媒体１２に記録するようにしてもよい。
【００３９】
実施の形態３．
図４はこの発明の実施の形態３による情報記録再生装置が適用される情報記録再生システムを示す構成図であり、図において、図１と同一符号は同一または相当部分を示すので説明を省略する。
コンテンツ記録・再生・編集部１８は図１のコンテンツ記録・再生部１６と同様の機能を有する他に、コンテンツ記録媒体１２に記録されているコンテンツを編集するコンテンツ編集手段も構成している。
【００４０】
次に動作について説明する。
ユーザが情報記録再生装置１を利用して、コンテンツを編集する場合、ユーザが編集を希望するコンテンツが記録されているコンテンツ記録媒体１２を情報記録再生装置１に装着するとともに、情報記録再生装置１のＩＤ情報が記録されているＩＤ情報記録媒体１１を情報記録再生装置１に装着する。
【００４１】
情報記録再生装置１のＩＤ情報管理部１３は、ＩＤ情報記録媒体１１がカードスロットに装着されると、そのＩＤ情報記録媒体１１から情報記録再生装置１に割り当てられている固有のＩＤ情報を読み取るとともに、コンテンツ記録・再生・編集部１８を介して、コンテンツ記録媒体１２から編集を希望するコンテンツと対にして記録されているＩＤ情報を読み取る。
【００４２】
情報記録再生装置１のＩＤ情報管理部１３は、双方のＩＤ情報を読み取ると、双方のＩＤ情報を比較する。
情報記録再生装置１のＩＤ情報管理部１３は、双方のＩＤ情報が一致する場合、コンテンツの編集指令をコンテンツ記録・再生部・編集部１８に出力する。
情報記録再生装置１のコンテンツ記録・再生・編集部１８は、ＩＤ情報管理部１３からコンテンツの編集指令を受けると、コンテンツ記録媒体１２からコンテンツを読み出して、そのコンテンツを編集し、その編集したコンテンツをコンテンツ記録媒体１２に記録する。この際、編集元のコンテンツと対にして記録されていたＩＤ情報を編集後のコンテンツと対にして記録する。
【００４３】
情報記録再生装置１のＩＤ情報管理部１３は、双方のＩＤ情報が一致しない場合、ＩＤ情報の問い合わせ要求をＩＤ情報共有部１４に出力する。
情報記録再生装置１のＩＤ情報共有部１４は、ＩＤ情報管理部１３からＩＤ情報の問い合わせ要求を受けると、ネットワークインタフェース１５を介して、コンテンツ記録媒体１２に記録されているＩＤ情報をホームネットワーク３に接続されている情報記録再生装置２に送信して、ＩＤ情報の問い合わせを行う。
【００４４】
情報記録再生装置２のＩＤ情報管理部１３は、ＩＤ情報共有部１４が情報記録再生装置１からＩＤ情報の問い合わせを受けると、情報記録再生装置２に割り当てられている固有のＩＤ情報が記録されているＩＤ情報記録媒体１１がカードスロットに装着されていれば、そのＩＤ情報記録媒体１１から固有のＩＤ情報を読み取り、そのＩＤ情報と情報記録再生装置１から送信されたＩＤ情報（情報記録再生装置１のコンテンツ記録媒体１２に記録されているＩＤ情報）を比較する。
情報記録再生装置２のＩＤ情報共有部１４は、ＩＤ情報管理部１３がＩＤ情報の一致を示す場合、ネットワークインタフェース１５を介して、同一のＩＤ情報が記録されているＩＤ情報記録媒体１１を装着している旨を示す回答を情報記録再生装置１に送信する。一方、ＩＤ情報管理部１３がＩＤ情報の不一致を示す場合、ネットワークインタフェース１５を介して、同一のＩＤ情報が記録されているＩＤ情報記録媒体１１を装着していない旨を示す回答を情報記録再生装置１に送信する。
【００４５】
情報記録再生装置１のＩＤ情報管理部１３は、ＩＤ情報共有部１４が情報記録再生装置２から同一のＩＤ情報が記録されているＩＤ情報記録媒体１１を装着している旨を示す回答を受信すると、コンテンツの編集指令をコンテンツ記録・再生・編集部１８に出力する。
情報記録再生装置１のコンテンツ記録・再生・編集部１８は、ＩＤ情報管理部１３からコンテンツの編集指令を受けると、コンテンツ記録媒体１２からコンテンツを読み出して、そのコンテンツを編集し、その編集したコンテンツをコンテンツ記録媒体１２に記録する。この際、編集元のコンテンツと対にして記録されていたＩＤ情報を編集後のコンテンツと対にして記録する。
【００４６】
情報記録再生装置１のＩＤ情報管理部１３は、ＩＤ情報共有部１４が情報記録再生装置２から同一のＩＤ情報が記録されているＩＤ情報記録媒体１１を装着していない旨を示す回答を受信すると、コンテンツの編集指令をコンテンツ記録・再生・編集部１８に出力しない。
したがって、この場合には、情報記録再生装置１のコンテンツ記録・再生・編集部１８がコンテンツ記録媒体１２からコンテンツを読み出さず、そのコンテンツを編集することはない。
【００４７】
次に、ユーザが情報記録再生装置１を利用してコンテンツを編集する場合において、編集を希望するコンテンツが記録されているコンテンツ記録媒体１２が情報記録再生装置２に装着された場合について説明する。
情報記録再生装置１のＩＤ情報管理部１３は、ＩＤ情報記録媒体１１がカードスロットに装着されると、そのＩＤ情報記録媒体１１から情報記録再生装置１に割り当てられている固有のＩＤ情報を読み取るとともに、ＩＤ情報の問い合わせ要求をＩＤ情報共有部１４に出力する。
情報記録再生装置１のＩＤ情報共有部１４は、ＩＤ情報管理部１３からＩＤ情報の問い合わせ要求を受けると、ネットワークインタフェース１５を介して、情報記録再生装置１の固有のＩＤ情報をホームネットワーク３に接続されている情報記録再生装置２に送信して、ＩＤ情報の問い合わせを行う。
【００４８】
情報記録再生装置２のＩＤ情報管理部１３は、ＩＤ情報共有部１４が情報記録再生装置１からＩＤ情報の問い合わせを受けると、情報記録再生装置２のコンテンツ記録媒体１２から編集を希望するコンテンツと対にして記録されているＩＤ情報を読み取り、そのＩＤ情報と情報記録再生装置１から送信されたＩＤ情報（情報記録再生装置１の固有のＩＤ情報）を比較する。
情報記録再生装置２のＩＤ情報共有部１４は、ＩＤ情報管理部１３がＩＤ情報の一致を示す場合、ネットワークインタフェース１５を介して、コンテンツ記録媒体１２に同一のＩＤ情報が記録されている旨を示す回答を情報記録再生装置１に送信する。
【００４９】
情報記録再生装置２のＩＤ情報管理部１３は、双方のＩＤ情報が一致しない場合、更に、情報記録再生装置２に装着されているコンテンツ記録媒体１２から固有のＩＤ情報を読み取り、そのＩＤ情報と情報記録再生装置２のコンテンツ記録媒体１２に記録されているＩＤ情報を比較する。
情報記録再生装置２のＩＤ情報共有部１４は、ＩＤ情報管理部１３がＩＤ情報の一致を示す場合、ネットワークインタフェース１５を介して、コンテンツ記録媒体１２に同一のＩＤ情報が記録されている旨を示す回答を情報記録再生装置１に送信する。
情報記録再生装置２のＩＤ情報共有部１４は、ＩＤ情報管理部１３における２回の比較において、ＩＤ情報の不一致を示す場合、ネットワークインタフェース１５を介して、コンテンツ記録媒体１２に同一のＩＤ情報が記録されていない旨を示す回答を情報記録再生装置１に送信する。
【００５０】
情報記録再生装置１のＩＤ情報管理部１３は、ＩＤ情報共有部１４が情報記録再生装置２からコンテンツ記録媒体１２に同一のＩＤ情報が記録されている旨を示す回答を受信すると、コンテンツの編集指令をコンテンツ記録・再生・編集部１８に出力する。
情報記録再生装置１のコンテンツ記録・再生・編集部１８は、ＩＤ情報管理部１３からコンテンツの編集指令を受けると、ネットワークインタフェース１５を介して、情報記録再生装置２のコンテンツ記録媒体１２からコンテンツを読み出して、そのコンテンツを編集し、その編集したコンテンツを情報記録再生装置１のコンテンツ記録媒体１２に記録する。この際、編集元のコンテンツと対にして記録されていたＩＤ情報を編集後のコンテンツと対にして記録する。
【００５１】
情報記録再生装置１のＩＤ情報管理部１３は、ＩＤ情報共有部１４が情報記録再生装置２からコンテンツ記録媒体１２に同一のＩＤ情報が記録されていない旨を示す回答を受信すると、コンテンツの編集指令をコンテンツ記録・再生・編集部１８に出力しない。
したがって、この場合には、情報記録再生装置１のコンテンツ記録・再生・編集部１８が情報記録再生装置２のコンテンツ記録媒体１２からコンテンツを読み出さず、そのコンテンツを編集することはない。
以上で明らかなように、この実施の形態３によれば、コンテンツの編集が許可された正当なユーザのみがコンテンツの編集を行うことができる効果を奏する。
【００５２】
なお、この実施の形態３では、編集後のコンテンツを情報記録再生装置１のコンテンツ記録媒体１２に記録する際、編集元のコンテンツと対にして記録されていたＩＤ情報をコンテンツ記録媒体１２に記録するものについて示したが、更に、ＩＤ情報記録媒体１１に記録されている情報記録再生装置１の固有のＩＤ情報をコンテンツ記録媒体１２に記録するようにしてもよい。
【００５３】
実施の形態４．
図５はこの発明の実施の形態４による情報記録再生装置が適用される情報記録再生システムを示す構成図であり、図において、図１と同一符号は同一または相当部分を示すので説明を省略する。
暗号化・復号化部２１はＩＤ情報記録媒体１１に記録されている情報記録再生装置の固有のＩＤ情報から暗号鍵を生成し、その暗号鍵を用いてコンテンツを暗号化し、暗号化後のコンテンツと当該ＩＤ情報をコンテンツ記録媒体１２に記録する一方、コンテンツ記録媒体１２に記録されているＩＤ情報から暗号鍵を生成し、その暗号鍵を用いてコンテンツ記録媒体１２に記録されているコンテンツを復号化し、復号化後のコンテンツをコンテンツ記録・再生部１６に出力する。なお、暗号化・復号化部２１はコンテンツ記録手段、コンテンツ読出手段及びコンテンツ再生手段を構成している。
【００５４】
次に動作について説明する。
ユーザがコンテンツを情報記録再生装置１のコンテンツ記録媒体１２に記録することを希望する場合、上記実施の形態１と同様に、コンテンツ記録媒体１２を情報記録再生装置１に装着するとともに、情報記録再生装置１のＩＤ情報が記録されているＩＤ情報記録媒体１１を情報記録再生装置１に装着する。
【００５５】
情報記録再生装置１のＩＤ情報管理部１３は、ＩＤ情報記録媒体１１がカードスロットに装着されると、そのＩＤ情報記録媒体１１から情報記録再生装置１に割り当てられている固有のＩＤ情報を読み取る。
情報記録再生装置１の暗号化・復号化部２１は、ＩＤ情報管理部１３が情報記録再生装置１に割り当てられている固有のＩＤ情報を読み取ると、そのＩＤ情報から暗号鍵を生成し、その暗号鍵を用いてコンテンツを暗号化する。
そして、そのＩＤ情報と暗号化後のコンテンツを対にしてコンテンツ記録媒体１２に記録する。
【００５６】
次に、ユーザが情報記録再生装置１のコンテンツ記録媒体１２に記録されているコンテンツの再生を希望する場合について説明する。
情報記録再生装置１の暗号化・復号化部２１は、上記実施の形態１と同様にして、ＩＤ情報管理部１３がコンテンツの再生指令を出力すると（ＩＤ情報の一致を認定）、コンテンツ記録媒体１２から再生を希望するコンテンツと対にして記録されているＩＤ情報から暗号鍵を生成し、その暗号鍵を用いて当該コンテンツを復号化する。
情報記録再生装置１のコンテンツ記録・再生部１６は、暗号化・復号化部２１から復号化されたコンテンツを受けると、そのコンテンツを再生する。
【００５７】
以上で明らかなように、この実施の形態４によれば、コンテンツを暗号化して記録する一方、そのコンテンツを復号化して再生するように構成したので、コンテンツの保護の強化を図ることができる効果を奏する。
【００５８】
実施の形態５．
上記実施の形態２では、コンテンツ記録・再生・複製部１７がＩＤ情報管理部１３からコンテンツの複製指令を受けると、そのコンテンツを複製するものについて示したが、図６に示すように、コンテンツ記録・再生・複製部１７がＩＤ情報管理部１３からコンテンツの複製指令を受けると、コンテンツ記録媒体１２から暗号化されているコンテンツを読み出して、そのコンテンツを複製し、その複製したコンテンツをコンテンツ記録媒体１２に記録するようにしてもよい。この際、複製元のコンテンツと対にして記録されていたＩＤ情報を複製後のコンテンツと対にして記録する。
これにより、複製したコンテンツの保護の強化を図ることができる効果を奏する。
【００５９】
実施の形態６．
上記実施の形態５では、コンテンツ記録・再生・複製部１７が暗号化されているコンテンツを複製するものについて示したが、情報記録再生装置１の暗号化・復号化部２１が、上記実施の形態２と同様にしてＩＤ情報管理部１３からコンテンツの複製指令を受けると、ＩＤ情報記録媒体１１に記録されている情報記録再生装置１の固有のＩＤ情報から暗号鍵を生成し、その暗号鍵を用いて暗号化されているコンテンツ（コンテンツ記録媒体１２に記録されているコンテンツ）を更に暗号化し、コンテンツ記録・再生・複製部１７が暗号化後のコンテンツを複製し、その複製したコンテンツをコンテンツ記録媒体１２に記録するようにしてもよい。この際、複製元のコンテンツと対にして記録されていたＩＤ情報と、ＩＤ情報記録媒体１１に記録されている情報記録再生装置１の固有のＩＤ情報とを複製後のコンテンツと一緒に記録する。
これにより、複製したコンテンツの保護の強化を更に図ることができる効果を奏する。
【００６０】
実施の形態７．
上記実施の形態３では、コンテンツ記録・再生・編集部１８がＩＤ情報管理部１３からコンテンツの編集指令を受けると、コンテンツ記録媒体１２からコンテンツを読み出して、そのコンテンツを編集するものについて示したが、次のようにしてもよい。
即ち、暗号化・復号化部２１は、図７に示すように、上記実施の形態３と同様にしてＩＤ情報管理部１３からコンテンツの編集指令を受けると、コンテンツ記録媒体１２から編集を希望するコンテンツと対にして記録されているＩＤ情報から暗号鍵を生成し、その暗号鍵を用いて当該コンテンツを復号化する。
【００６１】
コンテンツ記録・再生・編集部１８は、暗号化・復号化部２１から復号化されたコンテンツを受けると、そのコンテンツを編集し、編集後のコンテンツを暗号化・復号化部２１に出力する。
暗号化・復号化部２１は、コンテンツ記録・再生・編集部１８から編集後のコンテンツを受けると、ＩＤ情報記録媒体１１に記録されている情報記録再生装置１の固有のＩＤ情報から暗号鍵を生成し、その暗号鍵を用いて編集後のコンテンツを暗号化し、暗号化後のコンテンツをコンテンツ記録媒体１２に記録する。この際、編集元のコンテンツと対にして記録されていたＩＤ情報と、ＩＤ情報記録媒体１１に記録されている情報記録再生装置１の固有のＩＤ情報とを編集後のコンテンツと一緒に記録する。
これにより、編集したコンテンツの保護の強化を図ることができる効果を奏する。
【００６２】
実施の形態８．
上記実施の形態７では、暗号化・復号化部２１がＩＤ情報記録媒体１１に記録されている情報記録再生装置１の固有のＩＤ情報から暗号鍵を生成し、その暗号鍵を用いて編集後のコンテンツを暗号化するものについて示したが、暗号化・復号化部２１が編集元のコンテンツと対にして記録されていたＩＤ情報から暗号鍵を生成し、その暗号鍵を用いて編集後のコンテンツを暗号化し、さらに、ＩＤ情報記録媒体１１に記録されている情報記録再生装置１の固有のＩＤ情報から暗号鍵を生成し、その暗号鍵を用いて暗号化後のコンテンツを暗号化するようにしてもよい。
これにより、編集したコンテンツの保護の強化を更に図ることができる効果を奏する。
【００６３】
実施の形態９．
上記実施の形態１〜８では、情報記録再生装置１のＩＤ情報管理部１３が自己のカードスロットにＩＤ情報記録媒体１１が装着されると、ＩＤ情報記録媒体１１からＩＤ情報を読み取るものについて示したが、情報記録再生装置１のＩＤ情報管理部１３が自己のカードスロットにＩＤ情報記録媒体１１が装着されていない場合、ネットワークインタフェース１５を介して、情報記録再生装置２のＩＤ情報管理部１３のカードスロットに装着されているＩＤ情報記録媒体１１からＩＤ情報を読み取るようにしてもよい。
これにより、コンテンツの可搬性や利便性を高めることができる効果を奏する。
【００６４】
実施の形態１０．
上記実施の形態１〜９では、情報記録再生装置１，２がコンテンツの記録と再生の機能を有するものについて示したが、コンテンツの記録機能、あるいは、コンテンツの再生機能のみを有する情報記録再生装置にも適用することができる。
また、上記実施の形態１〜９では、ＩＤ情報をコンテンツ記録媒体１２に記録するものについて示したが、ＩＤ情報を暗号化してからコンテンツ記録媒体１２に記録するようにしてもよい。
さらに、上記実施の形態１〜９では、ＩＤ情報記録媒体１１に記録されているＩＤ情報が情報記録再生装置１，２に割り当てられている固有のＩＤ情報であるものについて示したが、これに限るものではなく、例えば、ＩＤ情報記録媒体１１に割り当てられている固有のＩＤ情報であってもよい。
【００６５】
【発明の効果】
以上のように、この発明によれば、ＩＤ情報読取手段により読み取られたＩＤ情報と同一のＩＤ情報がコンテンツ記録媒体に記録されている場合、あるいは、そのコンテンツ記録媒体に記録されているＩＤ情報と同一のＩＤ情報が記録されている挿抜自在のＩＤ情報記録媒体がネットワーク上の他の機器に挿入されている場合、そのコンテンツ記録媒体からコンテンツを読み出すコンテンツ読出手段を設け、そのコンテンツ読出手段により読み出されたコンテンツを再生するように構成したので、違法なコンテンツの利用の可能性を招くことなく、コンテンツの可搬性や利便性を高めることができる効果がある。
【図面の簡単な説明】
【図１】この発明の実施の形態１による情報記録再生装置が適用される情報記録再生システムを示す構成図である。
【図２】複数のローカルエリアネットワークからなる情報記録再生システムを示す構成図である。
【図３】この発明の実施の形態２による情報記録再生装置が適用される情報記録再生システムを示す構成図である。
【図４】この発明の実施の形態３による情報記録再生装置が適用される情報記録再生システムを示す構成図である。
【図５】この発明の実施の形態４による情報記録再生装置が適用される情報記録再生システムを示す構成図である。
【図６】この発明の実施の形態５による情報記録再生装置が適用される情報記録再生システムを示す構成図である。
【図７】この発明の実施の形態７による情報記録再生装置が適用される情報記録再生システムを示す構成図である。
【符号の説明】
１，２  情報記録再生装置、３  ホームネットワーク、１１  ＩＤ情報記録媒体、１２  コンテンツ記録媒体、１３  ＩＤ情報管理部（ＩＤ情報読取手段、コンテンツ読出手段、ＩＤ情報記録手段）、１４  ＩＤ情報共有部（コンテンツ読出手段）、１５  ネットワークインタフェース、１６  コンテンツ記録・再生部（コンテンツ読出手段、コンテンツ再生手段、コンテンツ記録手段）、１７  コンテンツ記録・再生・複製部（コンテンツ読出手段、コンテンツ再生手段、コンテンツ記録手段、コンテンツ複製手段）、１８  コンテンツ記録・再生・編集部（コンテンツ読出手段、コンテンツ再生手段、コンテンツ記録手段、コンテンツ編集手段）、２１  暗号化・復号化部（コンテンツ記録手段、コンテンツ読出手段、コンテンツ再生手段）。
【図１】
2005018827.tif 000003
【図２】
2005018827.tif 000004
【図３】
2005018827.tif 000005
【図４】
2005018827.tif 000006
【図５】
2005018827.tif 000007
【図６】
2005018827.tif 000008
【図７】
2005018827.tif 000009